(57)【要約】【課題】高電圧の電圧形態を採る本体部への低電圧の電圧形態を採るユニットの誤装着を確実に回避することができるヒーターユニット及び記録装置を提供する。【解決手段】第１方向（Ｚ軸方向）と直交する第２方向（Ｙ軸方向）において、孔部４８ａを有する嵌合部４８は、第２コネクタ部４５を挟んだ一方側に設けられ、上記電圧形態が同一のときにフェイルセーフピン１８による規制を不可とさせる切り欠き部４９は、第２コネクタ部４５を挟んだ他方側に設けられて、所定電圧で給電を受ける第１形態と、第２方向において、嵌合部４８は、第２コネクタ部４５を挟んだ一方側に設けられ、切り欠き部４９は、第２コネクタ部４５を挟んだ一方側に設けられて、上記所定電圧より高い電圧で給電を受ける第２形態と、を有するヒーターユニットを採用する。【選択図】図１５
2012106418.tif 000002
【特許請求の範囲】
【請求項１】
本体部が備える第１コネクタ部に対して第１方向において着脱自在に接続する第２コネクタ部を備えて該本体部から複数種の電圧形態で給電を受けるヒーターユニットであって、
前記本体部は、前記第１コネクタ部と前記第２コネクタ部とが接続するときに前記第１方向で孔部に挿通して嵌合する位置決めピンと、該孔部を有する嵌合部とのいずれか一方を有すると共に、前記電圧形態の異なる前記第１コネクタ部及び前記第２コネクタ部の前記第１方向における接続を規制するフェイルセーフピンと、前記電圧形態が同一のときに前記フェイルセーフピンによる規制を不可とさせる切り欠き部とのいずれか一方とを有するのに対し、
前記第１方向と直交する第２方向において、前記位置決めピンと嵌合部との他方は、前記第２コネクタ部を挟んだ一方側に設けられ、前記フェイルセーフピンと切り欠き部との他方は、前記第２コネクタ部を挟んだ他方側に設けられて、所定電圧で給電を受ける第１形態と、
前記第２方向において、前記位置決めピンと嵌合部との他方は、前記第２コネクタ部を挟んだ一方側に設けられ、前記フェイルセーフピンと切り欠き部との他方は、前記第２コネクタ部を挟んだ一方側に設けられて、前記所定電圧より高い電圧で給電を受ける第２形態と、を有することを特徴とするヒーターユニット。
【請求項２】
前記第２形態において、
前記嵌合部に、前記孔部と前記切り欠き部とが形成されていることを特徴とする請求項１に記載のヒーターユニット。
【請求項３】
記録媒体に対し流体を噴射する記録ヘッドと、本体部に対し着脱自在に設けられ、前記記録媒体上の前記流体を乾燥させるヒーターユニットと、を有する記録装置であって、
前記ヒーターユニットとして、請求項１または２に記載のヒーターユニットを有することを特徴とする記録装置。
【発明の詳細な説明】
【技術分野】
【０００１】
本発明は、ヒーターユニットおよび記録装置に関する。
【背景技術】
【０００２】
下記特許文献１には、記録装置として、サーマルヘッドを用いて記録媒体に記録を行うサーマルプリンターが開示されている。
このプリンターは、従来、耐久品として扱われ且つ他の部品と比べて部品寿命が短いサーマルヘッドを、本体部に対し着脱自在として、消耗品とすることにより、サーマルヘッド破損時の対応の煩雑さの回避、プリンター全体の製品寿命の延命を図っている。
【０００３】
このプリンターでは、サーマルヘッドユニットの交換に際し、サーマルヘッドブロックとサーマルヘッドユニットとを着脱するが、装着時の位置決めのため、サーマルヘッドブロックは位置決めピンを３本有し、また、サーマルヘッドユニットは該位置決めピンを挿入するための孔部を３個有している。そして、位置決めピンと孔部との嵌合後、止めネジによりサーマルヘッドブロック及びサーマルヘッドユニットを固定する構成となっている。
【先行技術文献】
【特許文献】
【０００４】
【特許文献１】特開平８−８５２２２号公報
【発明の概要】
【発明が解決しようとする課題】
【０００５】
ところで、プリンターは、仕向け地域別の電圧仕様の違いで複数種の電圧形態を同一の製品で採用する場合がある。こういった場合に、上記サーマルヘッドユニットのようなヒーターユニットの交換を行うと、所定の電圧形態の本体部に、その電圧形態と異なる電圧形態のユニットを誤装着してしまう場合がある。上記従来技術においては、フェイルセーフ機構が無いため、異種の電圧形態を採るヒーターユニットの誤装着を回避できないという問題がある。
【０００６】
しかしながら、フェイルセーフ機構の導入にあたり、強電圧で電流が流れる構造体であることが多いヒーターユニットにおいては、例えば、１００Ｖの電圧形態を採る本体部に、２２０Ｖの電圧形態を採るユニットを誤装着しても安全上特に問題ないが、その逆の場合、２２０Ｖの電圧形態を採る本体部に、１００Ｖの電圧形態を採るユニットを誤装着してしまうと、ユニットに過剰に電流が流れてしまうことから、高電圧の電圧形態を採る本体部への低電圧の電圧形態を採るユニットの誤装着を確実に回避することが求められる。
【０００７】
本発明は、上記問題点に鑑みてなされたもので、高電圧の電圧形態を採る本体部への低電圧の電圧形態を採るユニットの誤装着を確実に回避することができるヒーターユニット及び記録装置を提供することを目的としている。
【課題を解決するための手段】
【０００８】
上記の課題を解決するために、本発明は、本体部が備える第１コネクタ部に対して第１方向において着脱自在に接続する第２コネクタ部を備えて該本体部から複数種の電圧形態で給電を受けるヒーターユニットであって、上記本体部は、上記第１コネクタ部と上記第２コネクタ部とが接続するときに上記第１方向で孔部に挿通して嵌合する位置決めピンと、該孔部を有する嵌合部とのいずれか一方を有すると共に、上記電圧形態の異なる上記第１コネクタ部及び上記第２コネクタ部の上記第１方向における接続を規制するフェイルセーフピンと、上記電圧形態が同一のときに上記フェイルセーフピンによる規制を不可とさせる切り欠き部とのいずれか一方とを有するのに対し、上記第１方向と直交する第２方向において、上記位置決めピンと嵌合部との他方は、上記第２コネクタ部を挟んだ一方側に設けられ、上記フェイルセーフピンと切り欠き部との他方は、上記第２コネクタ部を挟んだ他方側に設けられて、所定電圧で給電を受ける第１形態と、上記第２方向において、上記位置決めピンと嵌合部との他方は、上記第２コネクタ部を挟んだ一方側に設けられ、上記フェイルセーフピンと切り欠き部との他方は、上記第２コネクタ部を挟んだ一方側に設けられて、上記所定電圧より高い電圧で給電を受ける第２形態と、を有するという構成を採用する。
このような構成を採用することによって、本発明は、電圧の形態に応じて、２つの形態を採る。所定電圧の第１形態では、第２コネクタ部を第２方向で挟んだ一方側で、嵌合部に位置決めピンが挿通して位置決めがなされ、第２コネクタ部を第２方向で挟んだ他方側にフェイルセーフピンが配置され、そのフェイルセーフピンの形態と同種の形態の切り欠き部を有さない場合には、第１コネクタ部及び第２コネクタ部の第１方向における接続が規制される。一方、所定電圧より高い電圧の第２形態では、第２コネクタ部を第２方向で挟んだ一方側で、嵌合部に位置決めピンが挿通し、位置決めがなされ、該位置決めがなされる同一側にフェイルセーフピンが配置され、そのフェイルセーフピンの形態と同種の形態の切り欠き部を有さない場合には、第１コネクタ部及び第２コネクタ部の第１方向における接続が規制される。この第２形態では、位置決めピンとフェイルセーフピンとを同一側に配置するため、第１形態と比べて位置決めピンとフェイルセーフピンとの間の距離が小さく、例えば、ユーザーが無理に異種のユニットを装着しようとし、位置決めピンを中心にユニットを抉り姿勢がズレても、位置決めピンからフェイルセーフピンまでの回転半径が小さく、フェイルセーフピンによる規制位置のズレが生じ難くなる。このため、高電圧の電圧形態を採る本体部への低電圧の電圧形態を採るユニットの誤装着を確実に回避することができる。
【０００９】
また、本発明においては、上記第２形態において、上記嵌合部に、上記孔部と上記切り欠き部とが形成されているという構成を採用する。
このような構成を採用することによって、本発明では、孔部と切り欠き部とが共に同一の嵌合部に形成されるので、両者の相対位置関係の精度を高めることができる。
【００１０】
また、本発明においては、記録媒体に対し流体を噴射する記録ヘッドと、本体部に対し着脱自在に設けられ、上記記録媒体上の上記流体を乾燥させるヒーターユニットと、を有する記録装置であって、上記ヒーターユニットとして、先に記載のヒーターユニットを有するという構成を採用する。
このような構成を採用することによって、本発明では、高電圧の電圧形態を採る本体部への低電圧の電圧形態を採るユニットの誤装着を確実に回避することができる。
【図面の簡単な説明】
【００１１】
【図１】本発明の実施形態におけるプリンターを示す概略構成図である。
【図２】本発明の実施形態におけるヒーターユニットの本体部に対する装着状態を示す平面図である。
【図３】本発明の実施形態におけるヒーターユニットを取り外したときの本体部を示す平面図である。
【図４】本発明の実施形態におけるヒーターユニットを示す斜視図である。
【図５】本発明の実施形態におけるヒーターユニットの外装を取り外した状態を示す斜視図である。
【図６】本発明の実施形態における１００Ｖの電圧形態のフェイルセーフピンと取り付けフレームの位置関係を示す平面図である。
【図７】図６における矢視Ａ１図である。
【図８】図６における矢視Ａ２図である。
【図９】本発明の実施形態における１２０Ｖの電圧形態のフェイルセーフピンと取り付けフレームの位置関係を示す平面図である。
【図１０】図９における矢視Ｂ１図である。
【図１１】図９における矢視Ｂ２図である。
【図１２】本発明の実施形態における２３０Ｖの電圧形態のフェイルセーフピンと取り付けフレームの位置関係を示す平面図である。
【図１３】図１２における矢視Ｃ１図である。
【図１４】図１２における矢視Ｃ２図である。
【図１５】本発明の実施形態におけるフェイルセーフ機構の作用を説明するための概略平断面図である。
【発明を実施するための形態】
【００１２】
以下、本発明に係るヒーターユニット及び記録装置の実施形態について、図を参照して説明する。なお、以下の説明で用いる図面では、ＸＹＺ直交座標系を設定し、このＸＹＺ直交座標系を参照しつつ各部材の位置関係について説明することがある。ここで、水平面内の所定方向をＸ軸方向、水平面内においてＸ軸方向と直交する方向をＹ軸方向、Ｘ軸方向及びＹ軸方向のそれぞれと直交する方向をＺ軸方向（鉛直方向）とする。
本実施形態では、記録装置として、インクジェット式プリンター（以下、単にプリンターと称する）について例示する。
【００１３】
図１は、本発明の実施形態におけるプリンター１を示す概略構成図である。
プリンター１は、ロール状に巻かれたロール紙ＲＰ１あるいはロール紙ＲＰ２から延出される長尺の用紙（記録媒体）Ｐに対して、インク（流体）を記録ヘッド３１から噴射して画像や文字等を印字する構成となっている。プリンター１は、用紙Ｐを搬送する複数のローラー２１を有する搬送部２と、用紙Ｐに対し印字を行う記録部３と、印字後、用紙Ｐの表面上のインクを乾燥させるヒーターユニット４と、ヒーターユニット４と電気的に接続して給電すると共に温度等に関する制御信号を出力する制御盤５と、を有する。
【００１４】
プリンター１の本体部１１には、ロール紙ＲＰ１、搬送部２、記録部３、ヒーターユニット４、制御盤５が収容されている。また、本体部１１に接続された外部ケース１２にはスペアのロール紙ＲＰ２が収容されている。なお、ロール紙ＲＰ１及びロール紙ＲＰ２のいずれかを用いるかは任意に選択可能である。ロール紙ＲＰ１あるいはロール紙ＲＰ２から延出された用紙Ｐは、搬送部２のローラー２１によって記録部３に搬送される。
【００１５】
記録部３は、インクを噴射する記録ヘッド３１と、用紙Ｐを支持する支持台３２と、を有する。用紙Ｐは、記録ヘッド３１と支持台３２との間に送り出される。送り出された用紙Ｐは、支持台３２に支持され、その上面（表面）は記録ヘッド３１に対して所定の間隔を保って搬送される。そして、用紙Ｐの上面に記録ヘッド３１からインクが噴射されて画像や文字等の印字が行われる。
【００１６】
用紙Ｐの搬送経路には、記録部３より下流側にヒーターユニット４が設けられている。ヒーターユニット４は、本体部１１に対して着脱自在に設けられている。ヒーターユニット４は、ファン４１と、加熱装置４２と、を有する。ファン４１及び加熱装置４２は、制御盤５から給電を受け、また、制御盤５からの制御信号により駆動する。加熱装置４２は、例えば、ニクロム線等の電熱線を有する。ファン４１により取り込まれた空気は、加熱装置４２より加熱されて温風となり、用紙Ｐの上面に向けて吹き付けられる。これにより、用紙Ｐ上のインクが乾燥し、用紙Ｐに画像や文字等が定着する。
【００１７】
次に、図２〜図５を参照して、本体部１１に対し着脱自在なヒーターユニット４の構成について説明する。
図２は、本発明の実施形態におけるヒーターユニット４の本体部１１に対する装着状態を示す平面図である。図３は、本発明の実施形態におけるヒーターユニット４を取り外したときの本体部１１を示す平面図である。図４は、本発明の実施形態におけるヒーターユニット４を示す斜視図である。図５は、本発明の実施形態におけるヒーターユニット４の外装を取り外した状態を示す斜視図である。
【００１８】
図２に示すように、ヒーターユニット４は、平面視で略長方形状を有する。本実施形態のヒーターユニット４は、本体部１１に設けられた一対の本体フレーム１２Ａ，１２Ｂに対してＺ軸方向（第１方向）、すなわち鉛直方向において着脱自在な構成となっている。
本体フレーム１２Ａは、ヒーターユニット４の長手方向一端部（＋Ｘ側端部）の底部を支持する底部フレーム１３ａと、ヒーターユニット４の長手方向一端部の側部を平面視略凹状に囲う側部フレーム１４ａとを有する。一方、本体フレーム１２Ｂは、ヒーターユニット４の長手方向他端部（−Ｘ側端部）の底部を支持する底部フレーム１３ｂと、ヒーターユニット４の長手方向他端部の側部を平面視略凹状に囲う側部フレーム１４ｂとを有する。
【００１９】
図３に示すように、本体フレーム１２Ａには、装着されたヒーターユニット４と電気的に接続する第１コネクタ部１５が設けられている。第１コネクタ部１５は、制御盤５と電気的に接続されており、ヒーターユニット４に給電するための電力線が配置される給電部１６ａと、ヒーターユニット４に制御信号を伝送する信号線が配置される信号部１６ｂとを有する。この第１コネクタ部１５は、側部フレーム１４ａの内側であって、底部フレーム１３ａから所定高さで凸設された凸フレーム１３ａ１に取り付けられている。
【００２０】
図４に示すように、ヒーターユニット４の短手方向一方側（＋Ｙ側）の側部には、空気を取り込むための複数の吸引孔４３が設けられている。吸引孔４３から取り込まれた空気は、内部で加熱され、底部に設けられた不図示の吹き出し口から下方に吹き出される。この底部に対し逆側の天部には、把持部５０が設けられている。把持部５０は、長手方向に延びる軸周りに、略水平面（ＸＹ平面）から略直角に回動自在な構成となっている。ヒーターユニット４は、把持部５０の回動に連動して長手方向両側側部から出没する固定ピン６０を有する。
【００２１】
図５（ａ）に示すように、把持部５０は、Ｘ軸方向に延びる軸周りに回動自在にユニットフレーム４４に軸支されている。把持部５０の回動軸５１の延長線上には、ＹＺ平面に対し交差する略円弧状のカム５２が設けられている。カム５２の下方には、カム５２をＸ軸方向で挟み込むカム受け部材７０が設けられている。カム受け部材７０は、ユニットフレーム４４に両側をガイドされ、Ｘ軸方向にスライド自在な構成となっている。このカム受け部材７０の先端に固定ピン６０が設けられる。固定ピン６０は、ユニットフレーム４４に固定されたピン受け部材８０によりＸ軸方向にガイドされる構成となっている。
【００２２】
上記構成によれば、図５（ａ）に示すように把持部５０が略水平面に沿って倒伏すると、カム５２によって固定ピン６０が長手方向外側に張り出される。この固定ピン６０が、図２に示す本体フレーム１２Ａの側部フレーム１４ａに設けられた不図示の開口部と、本体フレーム１２Ｂの側部フレーム１４ｂに設けられた不図示の開口部とにそれぞれ挿入されると、本体部１１に対する装着状態となる。
一方、図５（ｂ）に示すように把持部５０が略直角に起立すると、カム５２によって固定ピン６０が長手方向内側に引き込まれる。これにより、固定ピン６０が、本体フレーム１２Ａの側部フレーム１４ａに設けられた不図示の開口部と、本体フレーム１２Ｂの側部フレーム１４ｂに設けられた不図示の開口部とからそれぞれ抜き出されると、本体部１１に対する装着解除状態となる。
【００２３】
図４及び図５に示すように、ヒーターユニット４の長手方向一端部（＋Ｘ側端部）の底部には、本体フレーム１２Ａに設けられた第１コネクタ部１５に対してＺ軸方向（第１方向）において着脱自在な第２コネクタ部４５が外装から露出して設けられている。第２コネクタ部４５は、ファン４１及び加熱装置４２と電気的に接続されている。第１コネクタ部１５と第２コネクタ部４５とは、対となるカップリング形状を有する。したがって、把持部５０を把持し、側部フレーム１４ａ，１４ｂに沿ってヒーターユニット４を本体フレーム１２Ａ，１２Ｂに下ろすと、第１コネクタ部１５と第２コネクタ部４５とが物理的に接続されると共に電気的に接続される。
【００２４】
図３に示すように、本体部１１には、上記接続時に第１コネクタ部１５に対する第２コネクタ部４５の位置を位置決めする位置決めピン１７が、本体フレーム１２Ａに設けられている。位置決めピン１７は、Ｚ軸方向と直交するＹ軸方向（第２方向）において、第１コネクタ部１５を挟んだ一方側（＋Ｙ側）において、凸フレーム１３ａ１上に立設している。位置決めピン１７の先端部は、先細りのテーパ形状を有する。なお、図３では、Ｙ軸方向において第１コネクタ部１５を挟んだ他方側（−Ｙ側）に、後述するフェイルセーフピン１８が立設している。フェイルセーフピン１８は、略円柱形状を有し、基端部が凸フレーム１３ａ１にカシメられて固定されている。
【００２５】
一方、図５に示すように、ヒーターユニット４には、第２コネクタ部４５に一体的に締結された取り付けフレーム４６が設けられている。取り付けフレーム４６は、Ｙ軸方向において第２コネクタ部４５を挟んだ一方側（＋Ｙ側）において、Ｚ軸方向−側に向かって突出する第１突出部４７ａと、Ｙ軸方向において第２コネクタ部４５を挟んだ他方側（−Ｙ側）において、Ｚ軸方向−側に向かって突出する第２突出部４７ｂと、を有する。第１突出部４７ａの先端部には、略直角に屈曲し、第１コネクタ部１５と第２コネクタ部４５とが接続するときに、Ｚ軸方向で位置決めピン１７が挿通して嵌合する孔部４８ａが形成された嵌合部４８が一体で設けられている。
【００２６】
上記構成のプリンター１は、仕向け地域に応じて、複数種の電圧形態（本実施形態では１００Ｖ、１２０Ｖ、２３０Ｖの３形態）で駆動するバリエーションがある。
以下、所定の電圧形態の本体部１１に対する異種の電圧形態のヒーターユニット４の装着を不可とさせるフェイルセーフ機構について以下に示す図を参照して説明する。フェイルセーフ機構は、フェイルセーフピン１８と、取り付けフレーム４６とから構成される。なお、以下に示す図では、第２コネクタ部４５を不図示としている。
【００２７】
先ず、１００Ｖの電圧形態のフェイルセーフ機構１００Ａについて説明する。
図６は、本発明の実施形態における１００Ｖの電圧形態のフェイルセーフピン１８と取り付けフレーム４６の位置関係を示す平面図である。図７は、図６における矢視Ａ１図である。図８は、図６における矢視Ａ２図である。
【００２８】
図に示すように、１００Ｖの電圧形態の本体部１１の本体フレーム１２Ａにおいては、フェイルセーフピン１８が、Ｙ軸方向において第１コネクタ部１５を挟んだ他方側（−Ｙ側）に設けられている。このように、１００Ｖの電圧形態の本体フレーム１２Ａでは、第１コネクタ部１５をＹ軸方向で挟んだ一方側（＋Ｙ側）に位置決めピン１７が配置され、他方側（−Ｙ側）にフェイルセーフピン１８が配置される形態を採る。このフェイルセーフピン１８は、当該他方側において、Ｚ軸方向（第１方向）及びＹ軸方向（第２方向）と直交するＸ軸方向（第３方向）の一方側（＋Ｘ側）寄りに、予め凸フレーム１３ａ１に形成された不図示の孔部にカシメられて設けられている。
【００２９】
一方、１００Ｖの電圧形態のヒーターユニット４の取り付けフレーム４６においては、第２突出部４７ｂとフェイルセーフピン１８とが、Ｚ軸方向において干渉しないように切り欠かれた切り欠き部４９が、第２突出部４７ｂに形成されている（図７及び図８参照）。切り欠き部４９は、Ｙ軸方向において第２コネクタ部４５を挟んだ他方側（−Ｙ側）に設けられている。このように、１００Ｖの電圧形態の取り付けフレーム４６では、第２コネクタ部４５をＹ軸方向で挟んだ一方側（＋Ｙ側）に嵌合部４８が配置され、他方側（−Ｙ側）に切り欠き部４９が配置される形態（第１形態）を採る。この切り欠き部４９は、当該他方側において、Ｘ軸方向の一方側（＋Ｘ側）寄りに形成されている。
【００３０】
次に、１２０Ｖの電圧形態のフェイルセーフ機構１００Ｂについて説明する。
図９は、本発明の実施形態における１２０Ｖの電圧形態のフェイルセーフピン１８と取り付けフレーム４６の位置関係を示す平面図である。図１０は、図９における矢視Ｂ１図である。図１１は、図９における矢視Ｂ２図である。
【００３１】
図に示すように、１２０Ｖの電圧形態の本体部１１の本体フレーム１２Ａにおいては、フェイルセーフピン１８が、Ｙ軸方向において第１コネクタ部１５を挟んだ他方側（−Ｙ側）に設けられている。このように、１２０Ｖの電圧形態の本体フレーム１２Ａでは、第１コネクタ部１５をＹ軸方向で挟んだ一方側（＋Ｙ側）に位置決めピン１７が配置され、他方側（−Ｙ側）にフェイルセーフピン１８が配置される形態を採る。このフェイルセーフピン１８は、当該他方側において、Ｘ軸方向の他方側（−Ｘ側）寄りに、予め凸フレーム１３ａ１に形成された孔部１３ａ２（図３参照）にカシメられて設けられている。
【００３２】
一方、１２０Ｖの電圧形態のヒーターユニット４の取り付けフレーム４６においては、第２突出部４７ｂとフェイルセーフピン１８とが、Ｚ軸方向において干渉しないように切り欠かれた切り欠き部４９が、第２突出部４７ｂに形成されている（図１０及び図１１参照）。切り欠き部４９は、Ｙ軸方向において第２コネクタ部４５を挟んだ他方側（−Ｙ側）に設けられている。このように、１００Ｖの電圧形態の取り付けフレーム４６では、第２コネクタ部４５をＹ軸方向で挟んだ一方側（＋Ｙ側）に嵌合部４８が配置され、他方側（−Ｙ側）に切り欠き部４９が配置される形態（第１形態）を採る。この切り欠き部４９は、当該他方側において、Ｘ軸方向の他方側（−Ｘ側）寄りに形成されている。
【００３３】
次に、２３０Ｖの電圧形態のフェイルセーフ機構１００Ｃについて説明する。
図１２は、本発明の実施形態における２３０Ｖの電圧形態のフェイルセーフピン１８と取り付けフレーム４６の位置関係を示す平面図である。図１３は、図１２における矢視Ｃ１図である。図１４は、図１２における矢視Ｃ２図である。
【００３４】
図に示すように、２３０Ｖの電圧形態の本体部１１の本体フレーム１２Ａにおいては、フェイルセーフピン１８が、Ｙ軸方向において第１コネクタ部１５を挟んだ一方側（＋Ｙ側）に設けられている。このように、２３０Ｖの電圧形態の本体フレーム１２Ａでは、第１コネクタ部１５をＹ軸方向で挟んだ一方側（＋Ｙ側）に、位置決めピン１７とフェイルセーフピン１８とが配置される形態を採る。このフェイルセーフピン１８は、Ｙ軸方向において、位置決めピン１７と第１コネクタ部１５との間に位置し、予め凸フレーム１３ａ１に形成された孔部１３ａ３（図３参照）にカシメられて設けられている。
【００３５】
一方、２３０Ｖの電圧形態のヒーターユニット４の取り付けフレーム４６においては、第１突出部４７ａとフェイルセーフピン１８とが、Ｚ軸方向において干渉しないように切り欠かれた切り欠き部４９が、嵌合部４８に形成されている（図１２参照）。切り欠き部４９は、Ｙ軸方向において第２コネクタ部４５を挟んだ一方側（＋Ｙ側）に設けられている。このように、２３０Ｖの電圧形態の取り付けフレーム４６では、第２コネクタ部４５をＹ軸方向で挟んだ一方側（＋Ｙ側）に、嵌合部４８と切り欠き部４９とが設けられる形態（第２形態）を採る。この切り欠き部４９は、Ｙ軸方向において、孔部４８ａと第２コネクタ部４５との間に形成されている。
【００３６】
続いて、上記構成のフェイルセーフ機構１００Ａ〜１００Ｃの作用について、図１５を参照して説明する。
図１５は、本発明の実施形態におけるフェイルセーフ機構１００Ａ〜１００Ｃの作用を説明するための概略平断面図である。なお、図１５（ａ）は１００Ｖの電圧形態のフェイルセーフ機構１００Ａを示し、図１５（ｂ）は１２０Ｖの電圧形態のフェイルセーフ機構１００Ｂを示し、図１５（ｃ）は２３０Ｖの電圧形態のフェイルセーフ機構１００Ｃを示す。
【００３７】
図１５（ａ）に示すように、１００Ｖの電圧形態の本体部１１に、１００Ｖの電圧形態のヒーターユニット４をＺ軸方向で装着しようとすると、第１コネクタ部１５と第２コネクタ部４５とが接続するときに、嵌合部４８の孔部４８ａに位置決めピン１７が挿通して嵌合し、フェイルセーフピン１８と切り欠き部４９とがＺ軸方向で位置合せされる。この切り欠き部４９は、Ｙ軸方向で第２コネクタ部４５を挟んだ他方側（−Ｙ側）であって、Ｘ軸方向の一方側（＋Ｘ側）寄りに形成されているので、第２突出部４７ｂとフェイルセーフピン１８とのＺ軸方向による干渉が回避され、第１コネクタ部１５と第２コネクタ部４５とがＺ軸方向で奥まで完全に嵌め込まれ、両者が接続される。
一方、１００Ｖの電圧形態の本体部１１に、図１５（ｂ）に示す１２０Ｖの電圧形態のヒーターユニット４、あるいは、図１５（ｃ）に示す２３０Ｖの電圧形態のヒーターユニット４をＺ軸方向で装着しようとすると、第２突出部４７ｂとフェイルセーフピン１８とがＺ軸方向で干渉し、第１コネクタ部１５と第２コネクタ部４５との接続が規制されることとなる。
【００３８】
また、図１５（ｂ）に示すように、１２０Ｖの電圧形態の本体部１１に、１２０Ｖの電圧形態のヒーターユニット４をＺ軸方向で装着しようとすると、第１コネクタ部１５と第２コネクタ部４５とが接続するときに、嵌合部４８の孔部４８ａに位置決めピン１７が挿通して嵌合し、フェイルセーフピン１８と切り欠き部４９とがＺ軸方向で位置合せされる。この切り欠き部４９は、Ｙ軸方向で第２コネクタ部４５を挟んだ他方側（−Ｙ側）であって、Ｘ軸方向の他方側（−Ｘ側）寄りに形成されているので、第２突出部４７ｂとフェイルセーフピン１８とのＺ軸方向による干渉が回避され、第１コネクタ部１５と第２コネクタ部４５とがＺ軸方向で奥まで完全に嵌め込まれ、両者が接続される。
一方、１２０Ｖの電圧形態の本体部１１に、図１５（ａ）に示す１００Ｖの電圧形態のヒーターユニット４、あるいは、図１５（ｃ）に示す２３０Ｖの電圧形態のヒーターユニット４をＺ軸方向で装着しようとすると、第２突出部４７ｂとフェイルセーフピン１８とがＺ軸方向で干渉し、第１コネクタ部１５と第２コネクタ部４５との接続が規制されることとなる。
【００３９】
そして、図１５（ｃ）に示すように、２３０Ｖの電圧形態の本体部１１に、２３０Ｖの電圧形態のヒーターユニット４をＺ軸方向で装着しようとすると、第１コネクタ部１５と第２コネクタ部４５とが接続するときに、嵌合部４８の孔部４８ａに位置決めピン１７が挿通して嵌合し、フェイルセーフピン１８と切り欠き部４９とがＺ軸方向で位置合せされる。この切り欠き部４９は、Ｙ軸方向で第２コネクタ部４５を挟んだ一方側（＋Ｙ側）に形成されているので、嵌合部４８とフェイルセーフピン１８とのＺ軸方向による干渉が回避され、第１コネクタ部１５と第２コネクタ部４５とがＺ軸方向で奥まで完全に嵌め込まれ、両者が接続される。また、孔部４８ａと切り欠き部４９とが共に同一の嵌合部４８に形成されるので、両者の相対位置関係の精度を高めることができる。
一方、２３０Ｖの電圧形態の本体部１１に、図１５（ａ）に示す１００Ｖの電圧形態のヒーターユニット４、あるいは、図１５（ｂ）に示す１２０Ｖの電圧形態のヒーターユニット４をＺ軸方向で装着しようとすると、嵌合部４８とフェイルセーフピン１８とがＺ軸方向で干渉し、第１コネクタ部１５と第２コネクタ部４５との接続が規制されることとなる。
【００４０】
ここで、図１５（ｃ）のフェイルセーフ機構１００Ｃでは、ヒーターユニット４が他の電圧形態よりも約２倍程度の高い電圧で給電を受けるため、１００Ｖの電圧形態のフェイルセーフ機構１００Ａと１２０Ｖの電圧形態との場合のフェイルセーフ機構１００Ｂの形態（第１形態）と異なる形態（第２形態）を採用している。
この第２形態では、位置決めピン１７とフェイルセーフピン１８とを同一側（−Ｙ側）に配置するため、第１形態と比べて位置決めピン１７とフェイルセーフピン１８との間の距離が小さく、例えば、ユーザーが２３０Ｖの電圧形態の本体部１１に、無理に１００Ｖや１２０Ｖの電圧形態のヒーターユニット４を抉るように装着しようとし、位置決めピン１７を中心にユニットの姿勢がズレても、位置決めピン１７と孔部４８ａとの嵌合位置からフェイルセーフピン１８までの回転半径が小さいから、フェイルセーフピン１８が干渉する嵌合部４８の規制位置のズレが生じ難くなる。このため、２３０Ｖの電圧形態を採る本体部１１への１００Ｖや１２０Ｖの電圧形態を採るヒーターユニット４の誤装着を確実に回避することができ、例えば、ヒーターユニット４のニクロム線等の電熱線の破損等を確実に予防することができる。
なお、第１形態と第２形態は、所定電圧を閾値としてそれ未満か以上かで形態を設定している。本実施形態では、１２０Ｖ〜２３０Ｖの範囲内の一の特定の値を当該閾値を設定し、例えば２００Ｖより高い電圧で給電を受けるときに第２形態とし、２００Ｖ未満で給電を受けるときに第１形態としているが、実機の仕様に応じて具体的な電圧形態の実情が異なるので、当該仕様に応じて適宜最適な閾値を選択することが好ましい。
【００４１】
したがって、上述した本実施形態によれば、本体部１１が備える第１コネクタ部１５に対して第１方向（Ｚ軸方向）において着脱自在に接続する第２コネクタ部４５を備えて該本体部１１から複数種の電圧形態で給電を受けるヒーターユニット４であって、本体部１１は、第１コネクタ部１５と上記第２コネクタ部４５とが接続するときに上記第１方向で孔部４８ａに挿通して嵌合する位置決めピン１７と、上記電圧形態の異なる第１コネクタ部１５及び第２コネクタ部４５の上記第１方向における接続を規制するフェイルセーフピン１８とを有するのに対し、上記第１方向と直交する第２方向（Ｙ軸方向）において、孔部４８ａを有する嵌合部４８は、第２コネクタ部４５を挟んだ一方側に設けられ、上記電圧形態が同一のときにフェイルセーフピン１８による規制を不可とさせる切り欠き部４９は、第２コネクタ部４５を挟んだ他方側に設けられて、所定電圧で給電を受ける第１形態と、第２方向において、嵌合部４８は、第２コネクタ部４５を挟んだ一方側に設けられ、切り欠き部４９は、第２コネクタ部４５を挟んだ一方側に設けられて、上記所定電圧より高い電圧で給電を受ける第２形態と、を有するという構成を採用することによって、高電圧の電圧形態を採る本体部１１への低電圧の電圧形態を採るユニットの誤装着を確実に回避することができる。
【００４２】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４３】
例えば、上記実施形態においては、本体部１１が位置決めピン１７及びフェイルセーフピン１８を有するのに対し、ヒーターユニット４が嵌合部４８及び切り欠き部４９を有する形態について説明したが、本発明は、本体部１１が嵌合部４８及び切り欠き部４９を有するのに対し、ヒーターユニット４が位置決めピン１７及びフェイルセーフピン１８を有する形態であっても、本体部１１が嵌合部４８及びフェイルセーフピン１８を有するのに対し、ヒーターユニット４が位置決めピン１７及び切り欠き部４９を有する形態であっても、本体部１１が位置決めピン１７及び切り欠き部４９を有するのに対し、ヒーターユニット４が嵌合部４８及びフェイルセーフピン１８を有する形態であってもよい。
【００４４】
また、上記実施形態においては、記録装置がプリンター１である場合を例にして説明したが、プリンターに限られず、複写機及びファクシミリ等の装置であってもよい。
【００４５】
また、記録装置としては、インク以外の他の流体を噴射したり吐出したりする記録装置を採用してもよい。本発明は、例えば微小量の液滴を吐出させる記録ヘッド等を備える各種の記録装置に流用可能である。なお、液滴とは、上記記録装置から吐出される液体の状態をいい、粒状、涙状、糸状に尾を引くものも含むものとする。また、ここでいう液体とは、記録装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクが挙げられる。ここで、インクとは一般的な水性インク及び油性インク並びにジェルインク、ホットメルトインク等の各種液体組成物を包含するものとする。また、記録装置の具体例としては、上記実施形態で説明したような用紙がロール状に巻かれたロール紙を収容体（ケース１２）に備えた装置に限られない。例えば、可撓性を有する基板や金属板、あるいはプラスチックシートや布など、長尺状の記録媒体がロール状に巻かれているものを収容体に備えた装置であれば、いずれも記録装置として採用することができる。さらに、収容体に備えられた長尺状の記録媒体は、例えば葛折状になっているなどのように必ずしもロール状に巻かれていなくてもよい。
【符号の説明】
【００４６】
１…プリンター（記録装置）、４…ヒーターユニット、１１…本体部、１５…第１コネクタ部、１７…位置決めピン、１８…フェイルセーフピン、３１…記録ヘッド、４５…第２コネクタ部、４８…嵌合部、４８ａ…孔部、４９…切り欠き部、Ｐ…用紙（記録媒体）
【図１】
2012106418.tif 000003
【図２】
2012106418.tif 000004
【図３】
2012106418.tif 000005
【図４】
2012106418.tif 000006
【図５】
2012106418.tif 000007
【図６】
2012106418.tif 000008
【図７】
2012106418.tif 000009
【図８】
2012106418.tif 000010
【図９】
2012106418.tif 000011
【図１０】
2012106418.tif 000012
【図１１】
2012106418.tif 000013
【図１２】
2012106418.tif 000014
【図１３】
2012106418.tif 000015
【図１４】
2012106418.tif 000016
【図１５】
2012106418.tif 000017